(57)【要約】      （修正有）【課題】撮像レンズにおいて低背化かつ大口径化を図ると共に、収差および結像性能における高性能化も実現する。【解決手段】物体側から像側へ順に、両面が凸面で非球面の第１レンズと、像側に凹面を向けた負の屈折力を有する非球面の第２レンズと、像側に凸面を向けた正の屈折力を有する非球面の第３レンズと、像側の面が光軸上では像側に凹面を向け光軸上以外の位置に変曲点を有し負の屈折力を有する非球面の第４レンズと、像側の面が光軸上では像側に凹面を向け光軸上以外の位置に変曲点を有する非球面で、物体側の面が他のどのレンズ面よりも曲率が小さく、赤外カットフィルタとしても機能する第５レンズから構成され、以下の条件式（１）、（２）を満足する。（１）ＴＴＬ／２ｉｈ＜０．８５、（２）０．７＜ｉｈ／ｆ＜１．１、ただし、ＴＴＬ：第１レンズの物体側の面から像面までの光軸上の距離、ｉｈ：最大像高、ｆ：撮像レンズ全系の焦点距離とする。【選択図】図１
2019148615.tif 000002
【特許請求の範囲】
【請求項１】
両面が凸面の非球面である第１レンズと、
像側に凹面を向けた負の屈折力を有する非球面の第２レンズと、
像側に凸面を向けた正の屈折力を有する非球面の第３レンズと、
光軸上では像側に凹面を向け、像側の面は光軸上以外の位置に変曲点を有し、負の屈折力を有する非球面の第４レンズと、
像側を向いた後面が光軸上では像側に凹面を向けるとともに該後面は光軸上以外の位置に変曲点する非球面で、物体側を向いた前面が他のレンズ面のどれよりも曲率が小さい第５レンズであって、赤外カットフィルタとしても機能する該第５レンズとが物体側から像側へ順に配置されて構成され、
以下の条件式（１）、（２）を満足することを特徴とする撮像レンズ。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【請求項２】
前記第５レンズが、レンズの材質によって赤外カットフィルタとしての機能を有するものであることを特徴とする請求項１に記載の撮像レンズ。
【請求項３】
前記第５レンズが、前記前面に設けられた赤外カット層によって赤外カットフィルタとしての機能を有するものであることを特徴とする請求項１に記載の撮像レンズ。
【請求項４】
前記第５レンズが、物体側に位置する基板部と像側に位置する非球面レンズ部とが複合された複合レンズであることを特徴とする請求項１から３のいずれか１項に記載の撮像レンズ。
【請求項５】
撮像レンズと、該撮像レンズによって結像された光学像を電気信号に変換する撮像素子とを備え、
前記撮像レンズが、
両面が凸面の非球面である第１レンズと、
像側に凹面を向けた負の屈折力を有する非球面の第２レンズと、
像側に凸面を向けた正の屈折力を有する非球面の第３レンズと、
光軸上では像側に凹面を向け、像側の面は光軸上以外の位置に変曲点を有し、負の屈折力を有する非球面の第４レンズと、
像側を向いた後面が光軸上では像側に凹面を向けるとともに該後面は光軸上以外の位置に変曲点する非球面で、物体側を向いた前面が他のレンズ面のどれよりも曲率が小さい第５レンズであって、赤外カットフィルタとしても機能する該第５レンズとが物体側から像側へ順に配置されて構成され、以下の条件式（１）、（２）を満足することを特徴とする撮像装置。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【発明の詳細な説明】
【技術分野】
【０００１】
本発明は、撮像レンズおよび撮像装置に関する。
【背景技術】
【０００２】
スマートフォンなどに代表される携帯情報端末における薄型化や、携帯情報端末に搭載されたカメラの高画素化に伴って、そのようなカメラに組み込まれる撮像レンズに関し、低背化かつ大口径化を図ることが求められている。
例えば特許文献１には、諸収差が良好に補正された４枚のレンズからなる撮像レンズが提案されている。
また、例えば特許文献２には、全画角で８０°以上の広い画角を実現しながらも全長の短い４枚のレンズからなる撮像レンズが提案されている。
【先行技術文献】
【特許文献】
【０００３】
【特許文献１】特許第５８１８７０２号公報
【特許文献２】特許第５６６７３２３号公報
【発明の概要】
【発明が解決しようとする課題】
【０００４】
しかしながら、撮像レンズに対する大口径化は、Ｆ２．２以下や更にはＦ２．０以下というような明るさまで求められるようになり、カメラの高画素化に伴って高解像度（即ち諸収差の良好な補正）も同時に求められている。
【０００５】
特許文献１に記載された撮像レンズでは、バックフォーカスが十分長く且つ像面湾曲も補正されているため、４枚系単焦点レンズとしてはＴＴＬ（全長）は比較的長く、携帯端末の薄型化に寄与するためには、Ｆナンバーを比較的大きくし、画素数の少ない小型の撮像素子を使用せざるを得ない。
特許文献２に記載された撮像レンズでは、大口径化に伴い、深度が浅くなることで、像面湾曲の補正不足による解像度劣化が顕著となる。
このように、従来の撮像レンズでは、低背化かつ大口径化を図ると共に、収差および結像性能における高性能化も実現することが難しい。
そこで、本発明は、撮像レンズにおいて低背化かつ大口径化を図ると共に、収差および結像性能における高性能化も実現することを目的とする。
【課題を解決するための手段】
【０００６】
上記課題を解決する撮像レンズは、両面が凸面の非球面である第１レンズと、像側に凹面を向けた負の屈折力を有する非球面の第２レンズと、像側に凸面を向けた正の屈折力を有する非球面の第３レンズと、光軸上では像側に凹面を向け、像側の面は光軸上以外の位置に変曲点を有し、負の屈折力を有する非球面の第４レンズと、像側を向いた後面が光軸上では像側に凹面を向けるとともに当該後面は光軸上以外の位置に変曲点する非球面で、物体側を向いた前面が他のレンズ面のどれよりも曲率が小さい第５レンズであって、赤外カットフィルタとしても機能する第５レンズとが物体側から像側へ順に配置されて構成され、以下の条件式（１）、（２）を満足するものである。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【０００７】
このような撮像レンズは、赤外カットフィルタとしても機能する第５レンズを備えることで、レンズからセンサーまでの空間に赤外カットフィルタを挿入する必要が無く、その結果、レンズバックフォーカスを狭くすることが可能になり、低背化かつ大口径化を図ることが容易である。更に、全長と像高との比が適正化されると共に像高と全系の焦点距離との比も適正化されて、収差および結像性能における高性能化も実現される。
【０００８】
上記撮像レンズにおいて、上記第５レンズは、レンズの材質によって赤外カットフィルタとしての機能を有するものであってもよく、あるいは、上記前面に設けられた赤外カット層によって赤外カットフィルタとしての機能を有するものであってもよい。
【０００９】
第５レンズがレンズの材質によって赤外カットフィルタとしての機能を有する場合には、光軸に垂直な方向における赤外カット機能の均一性が高い。また、第５レンズが赤外カット層によって赤外カットフィルタとしての機能を有する場合には、製造容易性や赤外カット層の選択自由度などに優れている。
【００１０】
また、上記撮像レンズにおいて、上記第５レンズは、物体側に位置する基板部と像側に位置する非球面レンズ部とが複合された複合レンズであることが望ましい。第５レンズがこのような複合レンズであると、基板部と非球面レンズ部とで、赤外カットフィルタとしての機能と、収差および結像性能における高性能化を図る補正光学系の機能とを分担することができる。
【００１１】
上記課題を解決する撮像装置は、撮像レンズと、その撮像レンズによって結像された光学像を電気信号に変換する撮像素子とを備え、上記撮像レンズが、両面が凸面の非球面である第１レンズと、像側に凹面を向けた負の屈折力を有する非球面の第２レンズと、像側に凸面を向けた正の屈折力を有する非球面の第３レンズと、光軸上では像側に凹面を向け、像側の面は光軸上以外の位置に変曲点を有し、負の屈折力を有する非球面の第４レンズと、像側を向いた後面が光軸上では像側に凹面を向けるとともに該後面は光軸上以外の位置に変曲点する非球面で、物体側を向いた前面が他のレンズ面のどれよりも曲率が小さい第５レンズであって、赤外カットフィルタとしても機能する該第５レンズとが物体側から像側へ順に配置されて構成され、以下の条件式（１）、（２）を満足するものである。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【００１２】
このような撮像装置は、赤外カットフィルタとしても機能する第５レンズを備えることで撮像レンズの低背化かつ大口径化を図ることが容易である。更に、撮像レンズの全長と最大像高との比が適正化されると共に最大像高と全系の焦点距離との比も適正化されて、収差および結像性能における高性能化も実現される。
【発明の効果】
【００１３】
本発明の撮像レンズおよび撮像装置によれば、低背化かつ大口径化を図ると共に、収差および結像性能における高性能化も実現することができる。
【図面の簡単な説明】
【００１４】
【図１】第１実施形態における撮像レンズのレンズ構成を示す図である。
【図２】数値実施例１の無限遠合焦状態における諸収差図である。
【図３】第２実施形態における撮像レンズのレンズ構成を示す図である
【図４】数値実施例２の無限遠合焦状態における諸収差図である。
【図５】第３実施形態における撮像レンズのレンズ構成を示す図である。
【図６】数値実施例３の無限遠合焦状態における諸収差図である。
【図７】第４実施形態における撮像レンズのレンズ構成を示す図である。
【図８】数値実施例４の無限遠合焦状態における諸収差図である。
【図９】第５実施形態における撮像レンズのレンズ構成を示す図である。
【図１０】数値実施例５の無限遠合焦状態における諸収差図である。
【図１１】第６実施形態における撮像レンズのレンズ構成を示す図である。
【図１２】数値実施例６の無限遠合焦状態における諸収差図である。
【図１３】本発明の撮像装置の一実施形態に相当するスマートフォンを示すブロック構成図である。
【発明を実施するための形態】
【００１５】
以下、本発明の実施の形態について説明する。
［撮像レンズの構成］
【００１６】
本発明の撮像レンズは、両面が凸面の非球面である第１レンズと、像側に凹面を向けた負の屈折力を有する非球面の第２レンズと、像側に凸面を向けた正の屈折力を有する非球面の第３レンズと、光軸上では像側に凹面を向け、像側の面は光軸上以外の位置に変曲点を有し、負の屈折力を有する非球面の第４レンズと、像側を向いた後面が光軸上では像側に凹面を向けるとともに該後面は光軸上以外の位置に変曲点する非球面で、物体側を向いた前面が他のレンズ面のどれよりも曲率が小さい第５レンズであって、赤外カットフィルタとしても機能する第５レンズとが物体側から像側へ順に配置されて構成されている。
【００１７】
即ち、本発明の撮像レンズは、正、負、正、負、負の５枚レンズ構成において、第１レンズが両凸の非球面レンズであり、第２レンズと第３レンズが非球面レンズであり、第４レンズと第５レンズが変曲点を有する非球面レンズである構成となっている。
【００１８】
また、本発明の撮像レンズは、第５レンズが赤外カットフィルタとしても機能する。一般的な撮像装置では、撮像レンズと結像面との間に赤外カットフィルタが配備される。このため、一般的な撮像レンズでは、長めのバックフォーカスが必要となって撮像レンズの低背化が阻害される。これに対して本発明の撮像レンズでは、バックフォーカスの短い設計が可能となり、低背化が実現可能となっている。
【００１９】
なお、第５レンズにおける光透過特性としては、３８０ｎｍから４３０ｎｍの波長範囲内のいずれかで透過率が半値（５０％）を示し、かつ、５００ｎｍから６００ｎｍの波長範囲に亘って透過率が８０％以上であり、かつ、７３０ｎｍから８００ｎｍの波長範囲に亘って透過率が１０％以下となるような特性が好ましい。
【００２０】
また、第５レンズは、物体側を向いた前面が他のレンズ面のどれよりも曲率が小さい面となっている。この前面の形状としては典型的には平面が採用可能である。第５レンズの前面がこのように低曲率の面であると、撮像レンズの最終面である第５レンズの後面に、第１レンズから第４レンズで残存する像面湾曲、歪曲収差を補正する役目と、センサーの最適入射光線角度（以下ＣＲＡと略称する）を補正する役目とを集約することができる。
【００２１】
像面湾曲、歪曲収差を補正する役目の補正面と結像面との距離が長い（例えば、仮に第５レンズの前面が補正面で後面が低曲率面である）と、補正面を通過する光線エリアが大きくなる。この場合、像面湾曲、歪曲収差の補正における第５レンズの補正面の寄与が増え、さらに、コマ収差の発生も無視できなくなるため、補正面の非球面形状に求められる形状精度公差が非常に厳しくなる。しかし、上述したように、本発明の撮像レンズではバックフォーカスの短い設計が可能であるため、第５レンズが像面湾曲、歪曲収差を補正する役目を担うことで形状精度公差が緩やかになる。
【００２２】
また、ＣＲＡの補正のためには、第４レンズの後面から射出する光線角度が補正面で操作されるが、補正面と結像面との距離が長い（例えば、仮に第５レンズの前面が補正面で後面が低曲率面である）と、第１〜第４レンズで発生する歪曲収差量を正に大きく発生させる必要が生じる為、特に第１〜第４レンズにおける物体側の非球面量が指数関数的に増大してしまい、第１〜第４レンズの製造が困難になってしまう。しかし、上述したように、本発明の撮像レンズではバックフォーカスの短い設計が可能であるため、ＣＲＡの補正も実現可能となる。
【００２３】
更に、第５レンズが有する赤外カットフィルタとしての機能が、金属多層膜の蒸着や色素スピンコートなどによって設けられるフィルタ層で実現される場合には、層の均一化のために、低曲率な面上にフィルタ層が設けられることが必要である。そのように低曲率な面上にフィルタ層が設けられた場合であっても、いわゆるコート抜けや塗り抜けや塗り斑などによって層に多少の不均一が生じることは避けられない。
【００２４】
仮に第５レンズの前面が、非球面で構成された収差補正面で、後面が赤外カットフィルタ機能を有する低曲率面であると、フィルタ層と結像面との距離が短いので、画像に黒点などの不具合が生じる目安になる「欠陥面積／通過光束面積」の比が大きくなってしまい、製造規格として現実的ではない。しかし、上述したように、本発明の撮像レンズでは、第５レンズの前面が低曲率面で後面が補正面であるので、フィルタ層と結像面との距離が広がり、「欠陥面積／通過光束面積」の比が小さくなる。
また、本発明の撮像レンズは以下の条件式（１）、（２）を満足する。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【００２５】
条件式（１）は、撮像レンズにおいて一般に光学全長と称される、第１レンズの物体側の面から像面までの光軸上の距離と、最大像高との比を規定する式である。
【００２６】
撮像レンズが条件式（１）を満たさない場合は、最大像高が小さくなり過ぎたり、光学全長が長くなり過ぎたりする。最大像高が小さくなり過ぎると、撮像レンズの画角が不足し、発明本来の広角レンズとしての機能が損なわれてしまう。また、光学全長が長くなり過ぎると撮像レンズは低背化を満足することが困難になる。
条件式（２）は、最大像高と撮像レンズ全系の焦点距離（以下、「全系焦点距離」と称する場合がある）との比を規定する式である。
【００２７】
撮像レンズが条件式（２）の下限を下回る場合には、全系焦点距離が長くなり過ぎたり、最大像高が小さくなり過ぎたりする。全系焦点距離が長くなり過ぎると、画角の不足や光学全長の長大化が生じやすく、撮像レンズは大口径化や低背化を満足することが困難になる。また、最大像高が小さくなり過ぎると、上述したように撮像レンズは大口径化を満足することが困難になる。
【００２８】
逆に、撮像レンズが条件式（２）の上限を上回る場合には、全系焦点距離が短くなり過ぎたり、最大像高が大きくなり過ぎたりして、撮像レンズは収差および結像性能の高性能化を満足することが困難となる。
【００２９】
従って、撮像レンズが条件式（１）および条件式（２）を満足することにより、撮像レンズは、低背化および大口径化と、収差および結像性能の高性能化とを満足することができる。
【００３０】
本発明の一実施形態における撮像レンズで、上記第５レンズは、レンズの材質によって赤外カットフィルタとしての機能を有するものであってもよく、あるいは、上記前面に設けられた赤外カット層によって赤外カットフィルタとしての機能を有するものであってもよい。
【００３１】
第５レンズがレンズの材質によって赤外カットフィルタとしての機能を有する場合には、そのようなレンズ材質における、光軸に垂直な方向での赤外カット機能の均一性が、赤外カット層における均一性よりも高い。従って、赤外カット層のみによって赤外カットフィルタとしての機能を有する場合に較べ、赤外カットフィルタとしての機能の全部又は一部をレンズの材質によって担う場合には、光軸に垂直な方向での赤外カット機能の均一性が向上する。
【００３２】
赤外カットフィルタとしての機能を有する材質としては、例えばブルーガラスなどが考えられる。この場合、ブルーガラスの分光透過率をカメラシステムに対して適正化するために、第５レンズの前面に金属蒸着膜による赤外カット層を付加するとよい。
【００３３】
一方、第５レンズが赤外カット層によって赤外カットフィルタとしての機能を有する場合には、製造容易性や赤外カット層の選択自由度などに優れている。赤外カット層としては、例えば、スピンコートによって塗布された色素の層や、真空蒸着によって形成された、金属薄膜層や色素薄膜コートなどが考えられる。
【００３４】
また、本発明の一実施形態における撮像レンズで、上記第５レンズは、物体側に位置する基板部と像側に位置する非球面レンズ部とが複合された複合レンズであることが望ましい。第５レンズがこのような複合レンズであると、基板部と非球面レンズ部とで、赤外カットフィルタとしての機能と、収差および結像性能における高性能化を図る補正光学系の機能とを分担することができる。
更にまた、本発明の一実施形態における撮像レンズは、以下の条件式（３）、（４）を満足することが望ましい。
（３）１＜ｆ／ｆ１２３４＜１．３
（４）−１．５≦ｆ／ｆ５＜０
ただし、
ｆ：撮像レンズ全系の焦点距離
ｆ１２３４：第１レンズ、第２レンズ、第３レンズ、第４レンズの合成焦点距離
ｆ５：第５レンズの焦点距離
とする。
【００３５】
条件式（３）は、撮像レンズ全系の焦点距離と、第１レンズから第４レンズまでの合成光学系の焦点距離との比を規定する式である。条件式（３）の値が１近傍である場合、第５レンズが第１レンズから第４レンズで構成される合成の光学系で発生する球面収差、コマ収差に影響を及ぼさず、本来の目的である、像高が高い箇所での第５レンズの非球面による像面湾曲、歪曲収差、ＣＲＡを効果的に補正できることを意味している。
【００３６】
条件式（３）の値が下限を下回る場合には、第５レンズの負の屈折力が失われてしまう為、像面湾曲の補正に際して、歪曲収差補正、ＣＲＡの補正と相殺してしまい、望ましい補正が困難となる。
【００３７】
条件式（３）の値が上限を上回る場合には、第５レンズの屈折力が負に強くなりすぎる為、球面収差が補正不足になり、撮像レンズ全体の性能を悪化させてしまう。
【００３８】
条件式（４）は、撮像レンズ全系の焦点距離と第５レンズの焦点距離との比を規定する式であり、第５レンズを基準として、前方の第１レンズから第４レンズで構成される合成光学系の性能を確保するための条件式である。
条件式（４）の値が下限を下回る場合には、前方の４枚で構成される光学系の屈折力が大きくなり過ぎるため、製造上の敏感度が悪化してしまう。
条件式（４）の値が上限を上回る場合には、前方の４枚で構成される光学系の屈折力が小さくなり過ぎるため、レンズの全長が大型化してしまう。
［撮像レンズの数値実施例］
以下、本発明の撮像レンズの具体的な実施形態に具体的な数値を適用した数値実施例について、図面および表を参照して説明する。
尚、以下の各表や説明において示した記号の意味等については、下記に示す通りである。
【００３９】
「Ｓｎ」は撮影レンズを構成した各レンズ面や開口面に物体側から像側へと順に割り当てた面番号、「Ｒ」は各面の曲率半径、「Ｄ」は各面とその次の面との間の光軸上面間隔（レンズの中心の厚み又は空気間隔）、「ｎｄ」は各面から始まるレンズ等のｄ線（λ＝５８７．６ｎｍ）における屈折率、「νｄ」は各面から始まるレンズ等のｄ線におけるアッベ数を示す。「曲率半径Ｒ」に関し「∞」は当該面が平面であることを示している。「光学素子」に関し、「Ｌ１」、「Ｌ２」、・・・、「Ｌ５」は、それぞれ第１レンズ、第２レンズ、・・・、第５レンズを示している。
【００４０】
「ｋ」は円錐定数（コーニック定数）、「Ａ３」、「Ａ４」、「Ａ５」、・・・、「Ａ２０」はそれぞれ３次、４次、５次、・・・、２０次の非球面係数を示す。
【００４１】
尚、以下の円錐定数および非球面係数を示す各表において、数値の表現は１０を底とする指数表現が用いられている。例えば、「０．１２Ｅ−０５」は「０．１２×（１０のマイナス５乗）」を表し、「９．８７Ｅ＋０３」は「９．８７×（１０の３乗）」を表している。
【００４２】
各実施の形態において用いられた撮像レンズには、レンズ面が非球面に形成されたものがある。レンズ面の中心点（レンズ頂点）を原点として光軸に平行な方向における距離を「ｚ」、光軸に垂直な方向における距離を「ｒ」とする。また、レンズ頂点における近軸曲率を「ｃ」、円錐定数を「ｋ」とし、３次、４次、５次、・・・、２０次の非球面係数をそれぞれ「Ａ３」、「Ａ４」、「Ａ５」、・・・、「Ａ２０」とすると、非球面形状は以下の数式１によって定義される。
【００４３】
【数１】
2019148615.tif 000003
＜第１実施形態＞
図１は、第１実施形態における撮像レンズ１のレンズ構成を示す図である。
【００４４】
第１実施形態の撮像レンズ１は、正の屈折力を有する第１レンズ１１と、負の屈折力を有する第２レンズ１２と、正の屈折力を有する第３レンズ１３と、レンズの中心で負の屈折力を有し光軸を離れた箇所で変曲点を有する第４レンズ１４と、レンズの中心で負の屈折力を有し光軸を離れた箇所で変曲点を有する第５レンズ１５とが物体側から像側へと順に配置された構成を有する。以下の各実施形態の説明では、各レンズにおける物体側（図の左側）の面を「前面」と称し、各レンズにおける像側（図の右側）の面を「後面」と称する場合がある。
第１レンズ１１の物体側には、開口が固定の絞り７が設けられており、撮像レンズ１の結像面には撮像素子（イメージセンサ）８の撮像面が配置される。
【００４５】
第１実施形態における第５レンズ１５はプラスチックレンズであり、第５レンズ１５の前面は平面になっている。そして、第５レンズ１５の前面にはスピンコートによって色素の赤外カット層１５１が形成されている。
第１実施形態の撮像レンズ１に具体的な数値を適用した数値実施例１のレンズデータを表１に示す。
【００４６】
【表１】
2019148615.tif 000004
【００４７】
撮像レンズ１において、第１レンズ１１から第５レンズ１５に至る１０のレンズ面（第２面から第１１面）のうち、第５レンズ１５の前面（第１０面）である平面を除く各面は非球面に形成されている。
数値実施例１における非球面の非球面係数を円錐定数ｋと共に表２、表３、および表４に示す。
【００４８】
【表２】
2019148615.tif 000005
【００４９】
【表３】
2019148615.tif 000006
【００５０】
【表４】
2019148615.tif 000007
【００５１】
数値実施例１における撮像レンズ１の全系焦点距離ｆ、Ｆナンバー、全画角、最大像高、光学全長（ＴＴＬ）、第１レンズ１１から第４レンズ１４に至る合成光学系の焦点距離ｆ１２３４、および第５レンズ１５の焦点距離ｆ５を表５に示す。
【００５２】
【表５】
2019148615.tif 000008
【００５３】
表５から、数値実施例１ではＴＴＬ／２ｉｈ＝０．７８１であるので、上述した条件式（１）が満たされている。また、表５から、数値実施例１ではｉｈ／ｆ＝０．８１５であるので、上述した条件式（２）が満たされている。また、表５から、数値実施例１ではｆ／ｆ１２３４＝１．１３であるので、上述した条件式（３）が満たされている。また、表５から、数値実施例１ではｆ／ｆ５＝−０．９０であるので、上述した条件式（４）が満たされている。
図２は、数値実施例１の無限遠合焦状態における諸収差図である。
図２には、球面収差図と、非点収差図と、歪曲収差図が示されている。
【００５４】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
なお、歪曲収差図においてはｄ線とｇ線とＣ線のグラフがほぼ一致している。
各収差図から、数値実施例１は諸収差が良好に補正され、優れた結像性能を有していることが明らかである。
＜第２実施形態＞
図３は、第２実施形態における撮像レンズ２のレンズ構成を示す図である。
【００５５】
第２実施形態の撮像レンズ２は、正の屈折力を有する第１レンズ２１と、負の屈折力を有する第２レンズ２２と、正の屈折力を有する第３レンズ２３と、レンズの中心で負の屈折力を有し光軸を離れた箇所で変曲点を有する第４レンズ２４と、レンズの中心で負の屈折力を有し光軸を離れた箇所で変曲点を有する第５レンズ２５とが物体側から像側へと順に配置された構成を有する。
第１レンズ２１の物体側には、開口が固定の絞り７が設けられており、撮像レンズ２の結像面には撮像素子（イメージセンサ）８の撮像面が配置される。
【００５６】
第２実施形態における第５レンズ２５は紫外線硬化樹脂製のレンズであり、第５レンズ２５の前面は平面になっている。そして、第５レンズ２５の前面にはスピンコートによって色素の赤外カット層２５１が形成されている。
第２実施形態の撮像レンズ２に具体的な数値を適用した数値実施例２のレンズデータを表６に示す。
【００５７】
【表６】
2019148615.tif 000009
【００５８】
撮像レンズ２において、第１レンズ２１から第５レンズ２５に至る１０のレンズ面（第２面から第１１面）のうち、第５レンズ２５の前面（第１０面）を除く各面は非球面に形成されている。
数値実施例２における非球面の非球面係数を円錐定数ｋと共に表７、表８、および表９に示す。
【００５９】
【表７】
2019148615.tif 000010
【００６０】
【表８】
2019148615.tif 000011
【００６１】
【表９】
2019148615.tif 000012
【００６２】
数値実施例２における撮像レンズ２の全系焦点距離、Ｆナンバー、全画角、最大像高、光学全長（ＴＴＬ）、第１レンズ２１から第４レンズ２４に至る合成光学系の焦点距離ｆ１２３４、および第５レンズ２５の焦点距離ｆ５を表１０に示す。
【００６３】
【表１０】
2019148615.tif 000013
【００６４】
表１０から、数値実施例２ではＴＴＬ／２ｉｈ＝０．７９６であるので、上述した条件式（１）が満たされている。また、表１０から、数値実施例２ではｉｈ／ｆ＝０．８２１であるので、上述した条件式（２）が満たされている。また、表１０から、数値実施例２ではｆ／ｆ１２３４＝１．１７であるので、上述した条件式（３）が満たされている。また、表１０から、数値実施例２ではｆ／ｆ５＝−０．８８であるので、上述した条件式（４）が満たされている。
図４は、数値実施例２の無限遠合焦状態における諸収差図である。
図４には、球面収差図と、非点収差図と、歪曲収差図が示されている。
【００６５】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
なお、歪曲収差図においてはｄ線とｇ線とＣ線のグラフがほぼ一致している。
各収差図から、数値実施例２は諸収差が良好に補正され、優れた結像性能を有していることが明らかである。
＜第３実施形態＞
図５は、第３実施形態における撮像レンズ３のレンズ構成を示す図である。
【００６６】
第３実施形態の撮像レンズ３は、正の屈折力を有する第１レンズ３１と、負の屈折力を有する第２レンズ３２と、正の屈折力を有する第３レンズ３３と、レンズの中心で負の屈折力を有し光軸を離れた箇所で変曲点を有する第４レンズ３４と、レンズの中心で負の屈折力を有し光軸を離れた箇所で変曲点を有する第５レンズ３５とが物体側から像側へと順に配置された構成を有する。
第１レンズ３１の物体側には、開口が固定の絞り７が設けられており、撮像レンズ３の結像面には撮像素子（イメージセンサ）８の撮像面が配置される。
【００６７】
第３実施形態における第５レンズ３５は紫外線硬化樹脂製のレンズであり、第５レンズ３５の前面は平面になっている。第３実施形態の第５レンズ３５に用いられている紫外線硬化樹脂は、第２実施形態の第５レンズ２５に用いられている紫外線硬化樹脂とは別の樹脂である。第５レンズ３５の前面にはスピンコートによって色素の赤外カット層３５１が形成されている。
第３実施形態の撮像レンズ３に具体的な数値を適用した数値実施例３のレンズデータを表１１に示す。
【００６８】
【表１１】
2019148615.tif 000014
【００６９】
撮像レンズ３において、第１レンズ３１から第５レンズ３５に至る１０のレンズ面（第２面から第１１面）のうち、第５レンズ３５の前面（第１０面）を除く各面は非球面に形成されている。
数値実施例３における非球面の非球面係数を円錐定数ｋと共に表１２、表１３、および表１４に示す。
【００７０】
【表１２】
2019148615.tif 000015
【００７１】
【表１３】
2019148615.tif 000016
【００７２】
【表１４】
2019148615.tif 000017
【００７３】
数値実施例３における撮像レンズ３の全系焦点距離、Ｆナンバー、全画角、最大像高、光学全長（ＴＴＬ）、第１レンズ３１から第４レンズ３４に至る合成光学系の焦点距離ｆ１２３４、および第５レンズ３５の焦点距離ｆ５を表１５に示す。
【００７４】
【表１５】
2019148615.tif 000018
【００７５】
表１５から、数値実施例３ではＴＴＬ／２ｉｈ＝０．７８０であるので、上述した条件式（１）が満たされている。また、表１５から、数値実施例３ではｉｈ／ｆ＝０．８２７であるので、上述した条件式（２）が満たされている。また、表１５から、数値実施例３では  ｆ／ｆ１２３４＝１．１５であるので、上述した条件式（３）が満たされている。また、表１５から、数値実施例３ではｆ／ｆ５＝−１．０４であるので、上述した条件式（４）が満たされている。
図６は、数値実施例３の無限遠合焦状態における諸収差図である。
図６には、球面収差図と、非点収差図と、歪曲収差図が示されている。
【００７６】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
なお、歪曲収差図においてはｄ線とｇ線とＣ線のグラフがほぼ一致している。
各収差図から、数値実施例３は諸収差が良好に補正され、優れた結像性能を有していることが明らかである。
＜第４実施形態＞
図７は、第４実施形態における撮像レンズ４のレンズ構成を示す図である。
【００７７】
第４実施形態の撮像レンズ４は、正の屈折力を有する第１レンズ４１と、負の屈折力を有する第２レンズ４２と、正の屈折力を有する第３レンズ４３と、レンズの中心で負の屈折力を有し光軸を離れた箇所で変曲点を有する第４レンズ４４と、レンズの中心で負の屈折力を有し光軸を離れた箇所で変曲点を有する第５レンズ４５とが物体側から像側へと順に配置された構成を有する。
第１レンズ４１の物体側には、開口が固定の絞り７が設けられており、撮像レンズ４の結像面には撮像素子（イメージセンサ）８の撮像面が配置される。
【００７８】
第４実施形態における第５レンズ４５は、ブルーガラスからなるガラス基板４５１と紫外線硬化樹脂製のレンズ部４５２とが複合された複合レンズとなっている。そして、ガラス基板４５１の前面には真空蒸着によって赤外カット膜４５３が形成されている。
第４実施形態の撮像レンズ４に具体的な数値を適用した数値実施例４のレンズデータを表１６に示す。
【００７９】
【表１６】
2019148615.tif 000019
【００８０】
撮像レンズ４において、第１レンズ４１から第５レンズ４５のレンズ部４５２に至る１１のレンズ面（第２面から第１２面）のうち、ガラス基板４５１の両面（第１０面および第１１面）を除く各面は非球面に形成されている。
数値実施例４における非球面の非球面係数を円錐定数ｋと共に表１７、表１８、および表１９に示す。
【００８１】
【表１７】
2019148615.tif 000020
【００８２】
【表１８】
2019148615.tif 000021
【００８３】
【表１９】
2019148615.tif 000022
【００８４】
数値実施例４における撮像レンズ４の全系焦点距離、Ｆナンバー、全画角、最大像高、光学全長（ＴＴＬ）、第１レンズ４１から第４レンズ４４に至る合成光学系の焦点距離ｆ１２３４、および第５レンズ４５の焦点距離ｆ５を表２０に示す。
【００８５】
【表２０】
2019148615.tif 000023
【００８６】
表２０から、数値実施例４ではＴＴＬ／２ｉｈ＝０．７９４であるので、上述した条件式（１）が満たされている。また、表２０から、数値実施例４ではｉｈ／ｆ＝０．８３１であるので、上述した条件式（２）が満たされている。また、表２０から、数値実施例４ではｆ／ｆ１２３４＝１．１１であるので、上述した条件式（３）が満たされている。また、表２０から、数値実施例４ではｆ／ｆ５＝−０．７７であるので、上述した条件式（４）が満たされている。
図８は、数値実施例４の無限遠合焦状態における諸収差図である。
図８には、球面収差図と、非点収差図と、歪曲収差図が示されている。
【００８７】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
なお、歪曲収差図においてはｄ線とｇ線とＣ線のグラフがほぼ一致している。
各収差図から、数値実施例４は諸収差が良好に補正され、優れた結像性能を有していることが明らかである。
＜第５実施形態＞
図９は、第５実施形態における撮像レンズ５のレンズ構成を示す図である。
【００８８】
第５実施形態の撮像レンズ５は、正の屈折力を有する第１レンズ５１と、負の屈折力を有する第２レンズ５２と、正の屈折力を有する第３レンズ５３と、レンズの中心で負の屈折力を有し光軸を離れた箇所で変曲点を有する第４レンズ５４と、レンズの中心で負の屈折力を有し光軸を離れた箇所で変曲点を有する第５レンズ５５とが物体側から像側へと順に配置された構成を有する。
第１レンズ５１の物体側には、開口が固定の絞り７が設けられており、撮像レンズ５の結像面には撮像素子（イメージセンサ）８の撮像面が配置される。
【００８９】
第５実施形態における第５レンズ５５は、ブルーガラスからなるガラス基板５５１と紫外線硬化樹脂製のレンズ部５５２とが複合された複合レンズとなっている。第５実施形態のレンズ部５５２に用いられている紫外線硬化樹脂は、第４実施形態のレンズ部４５２に用いられている紫外線硬化樹脂とは別の樹脂である。ガラス基板５５１の前面には真空蒸着によって赤外カット膜５５３が形成されている。
第５実施形態の撮像レンズ５に具体的な数値を適用した数値実施例５のレンズデータを表２１に示す。
【００９０】
【表２１】
2019148615.tif 000024
【００９１】
撮像レンズ５において、第１レンズ５１から第５レンズ５５のレンズ部５５２に至る１１のレンズ面（第２面から第１２面）のうち、ガラス基板５５１の両面（第１０面および第１１面）を除く各面は非球面に形成されている。
数値実施例５における非球面の非球面係数を円錐定数ｋと共に表２２、表２３、および表２４に示す。
【００９２】
【表２２】
2019148615.tif 000025
【００９３】
【表２３】
2019148615.tif 000026
【００９４】
【表２４】
2019148615.tif 000027
【００９５】
数値実施例５における撮像レンズ５の全系焦点距離、Ｆナンバー、全画角、最大像高、光学全長（ＴＴＬ）、第１レンズ５１から第４レンズ５４に至る合成光学系の焦点距離ｆ１２３４、および第５レンズ５５の焦点距離ｆ５を表２５に示す。
【００９６】
【表２５】
2019148615.tif 000028
【００９７】
表２５から、数値実施例５ではＴＴＬ／２ｉｈ＝０．８０４であるので、上述した条件式（１）が満たされている。また、表２５から、数値実施例５ではｉｈ／ｆ＝０．８２１であるので、上述した条件式（２）が満たされている。また、表２５から、数値実施例５ではｆ／ｆ１２３４＝１．２０であるので、上述した条件式（３）が満たされている。また、表２５から、数値実施例５ではｆ／ｆ５＝−１．２２であるので、上述した条件式（４）が満たされている。
図１０は、数値実施例５の無限遠合焦状態における諸収差図である。
図１０には、球面収差図と、非点収差図と、歪曲収差図が示されている。
【００９８】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
各収差図から、数値実施例５は諸収差が良好に補正され、優れた結像性能を有していることが明らかである。
＜第６実施形態＞
図１１は、第６実施形態における撮像レンズ６のレンズ構成を示す図である。
【００９９】
第６実施形態の撮像レンズ６は、正の屈折力を有する第１レンズ６１と、負の屈折力を有する第２レンズ６２と、正の屈折力を有する第３レンズ６３と、レンズの中心で負の屈折力を有し光軸を離れた箇所で変曲点を有する第４レンズ６４と、レンズの中心で負の屈折力を有し光軸を離れた箇所で変曲点を有する第５レンズ６５とが物体側から像側へと順に配置された構成を有する。
第１レンズ６１の物体側には、開口が固定の絞り７が設けられており、撮像レンズ６の結像面には撮像素子（イメージセンサ）８の撮像面が配置される。
【０１００】
第６実施形態における第５レンズ６５は、白ガラスからなるガラス基板６５１と紫外線硬化樹脂製のレンズ部６５２とが複合された複合レンズとなっている。そして、ガラス基板６５１の前面には真空蒸着によって赤外カット膜６５３が形成されている。
第６実施形態の撮像レンズ６に具体的な数値を適用した数値実施例６のレンズデータを表２６に示す。
【０１０１】
【表２６】
2019148615.tif 000029
【０１０２】
撮像レンズ６において、第１レンズ６１から第５レンズ６５のレンズ部６５２に至る１１のレンズ面（第２面から第１２面）のうち、ガラス基板６５１の両面（第１０面および第１１面）を除く各面は非球面に形成されている。
数値実施例６における非球面の非球面係数を円錐定数ｋと共に表２７、表２８、および表２９に示す。
【０１０３】
【表２７】
2019148615.tif 000030
【０１０４】
【表２８】
2019148615.tif 000031
【０１０５】
【表２９】
2019148615.tif 000032
【０１０６】
数値実施例６における撮像レンズ６の全系焦点距離、Ｆナンバー、全画角、最大像高、光学全長（ＴＴＬ）、第１レンズ６１から第４レンズ６４に至る合成光学系の焦点距離ｆ１２３４、および第５レンズ６５の焦点距離ｆ５を表３０に示す。
【０１０７】
【表３０】
2019148615.tif 000033
【０１０８】
表３０から、数値実施例６ではＴＴＬ／２ｉｈ＝０．８０４であるので、上述した条件式（１）が満たされている。また、表３０から、数値実施例６ではｉｈ／ｆ＝０．８１９であるので、上述した条件式（２）が満たされている。また、表３０から、数値実施例６ではｆ／ｆ１２３４＝１．０９であるので、上述した条件式（３）が満たされている。また、表３０から、数値実施例６ではｆ／ｆ５＝−０．７３であるので、上述した条件式（４）が満たされている。
図１２は、数値実施例６の無限遠合焦状態における諸収差図である。
図１２には、球面収差図と、非点収差図と、歪曲収差図が示されている。
【０１０９】
球面収差図、非点収差図、および歪曲収差図においては、点線でｄ線（波長５８７．６ｎｍ）、一点鎖線でｇ線（波長４３５．８ｎｍ）、実線でＣ線（波長６５６．３ｎｍ）における値がそれぞれ示されている。また、非点収差図においては、太線でサジタル像面における値が示され、細線でタンジェンシャル像面における値が示されている。
なお、歪曲収差図においてはｄ線とｇ線とＣ線のグラフがほぼ一致している。
各収差図から、数値実施例６は諸収差が良好に補正され、優れた結像性能を有していることが明らかである。
［撮像装置の構成］
【０１１０】
本発明の撮像装置は、撮像レンズと、その撮像レンズによって結像された光学像を電気信号に変換する撮像素子とを備え、撮像レンズが、両面が凸面の非球面である第１レンズと、像側に凹面を向けた負の屈折力を有する非球面の第２レンズと、像側に凸面を向けた正の屈折力を有する非球面の第３レンズと、光軸上では像側に凹面を向け、像側の面は光軸上以外の位置に変曲点を有し、負の屈折力を有する非球面の第４レンズと、像側を向いた後面が光軸上では像側に凹面を向けるとともに該後面は光軸上以外の位置に変曲点する非球面で、物体側を向いた前面が他のレンズ面のどれよりも曲率が小さい第５レンズであって、赤外カットフィルタとしても機能する第５レンズとが物体側から像側へ順に配置されて構成されている。
【０１１１】
即ち、本発明の撮像装置は、撮像レンズが、正、負、正、負、負の５枚レンズ構成において、第１レンズが両凸の非球面レンズであり、第２レンズと第３レンズが非球面レンズであり、第４レンズと第５レンズが変曲点を有する非球面レンズである構成となっている。
【０１１２】
また、本発明の撮像装置は、撮像レンズの第５レンズが赤外カットフィルタとしても機能する。一般的な撮像装置では、撮像レンズと結像面との間に赤外カットフィルタが配備される。このため、一般的な撮像レンズでは、長めのバックフォーカスが必要となって撮像レンズの低背化が阻害される。これに対して本発明の撮像装置では、バックフォーカスの短い設計が可能となり、低背化が実現可能となっている。
【０１１３】
なお、第５レンズにおける光透過特性としては、３８０ｎｍから４３０ｎｍの波長範囲内のいずれかで透過率が半値（５０％）を示し、かつ、５００ｎｍから６００ｎｍの波長範囲に亘って透過率が８０％以上であり、かつ、７３０ｎｍから８００ｎｍの波長範囲に亘って透過率が１０％以下となるような特性が好ましい。
【０１１４】
また、第５レンズは、物体側を向いた前面が他のレンズ面のどれよりも曲率が小さい面となっている。この前面の形状としては典型的には平面が採用可能である。第５レンズの前面がこのように低曲率の面であると、撮像レンズの最終面である第５レンズの後面に、第１レンズから第４レンズで残存する像面湾曲、歪曲収差を補正する役目と、センサーの最適入射光線角度（以下ＣＲＡと略称する）を補正する役目とを集約することができる。
【０１１５】
像面湾曲、歪曲収差を補正する役目の補正面と結像面との距離が長い（例えば、仮に第５レンズの前面が補正面で後面が低曲率面である）と、補正面を通過する光線エリアが大きくなる。この場合、像面湾曲、歪曲収差の補正における第５レンズの補正面の寄与が増え、さらに、コマ収差の発生も無視できなくなるため、補正面の非球面形状に求められる形状精度公差が非常に厳しくなる。しかし、上述したように、本発明の撮像装置ではバックフォーカスの短い設計が可能であるため、第５レンズが像面湾曲、歪曲収差を補正する役目を担うことで形状精度公差が緩やかになる。
【０１１６】
また、ＣＲＡの補正のためには、第４レンズの後面から射出する光線角度が補正面で操作されるが、補正面と結像面との距離が長い（例えば、仮に第５レンズの前面が補正面で後面が低曲率面である）と、第１〜第４レンズで発生する歪曲収差量を正に大きく発生させる必要が生じる為、特に第１〜第４レンズにおける物体側の非球面量が指数関数的に増大してしまい、第１〜第４レンズの製造が困難になってしまう。しかし、上述したように、本発明の撮像装置ではバックフォーカスの短い設計が可能であるため、ＣＲＡの補正も実現可能となる。
【０１１７】
更に、第５レンズが有する赤外カットフィルタとしての機能が、金属多層膜の蒸着や色素スピンコートなどによって設けられるフィルタ層で実現される場合には、層の均一化のために、低曲率な面上にフィルタ層が設けられることが必要である。そのように低曲率な面上にフィルタ層が設けられた場合であっても、いわゆるコート抜けや塗り抜けや塗り斑などによって層に多少の不均一が生じることは避けられない。
【０１１８】
仮に第５レンズの前面が、非球面で構成された収差補正面で、後面が赤外カットフィルタ機能を有する低曲率面であると、フィルタ層と結像面との距離が短いので、画像に黒点などの不具合が生じる目安になる「欠陥面積／通過光束面積」の比が大きくなってしまい、製造規格として現実的ではない。しかし、上述したように、本発明の撮像装置では、第５レンズの前面が低曲率面で後面が補正面であるので、フィルタ層と結像面との距離が広がり、「欠陥面積／通過光束面積」の比が小さくなる。
また、本発明の撮像装置における撮像レンズは以下の条件式（１）、（２）を満足する。
（１）  ＴＴＬ／２ｉｈ＜０．８５
（２）  ０．７＜ｉｈ／ｆ＜１．１
ただし、
ＴＴＬ：第１レンズの物体側の面から像面までの光軸上の距離
ｉｈ：最大像高
ｆ：撮像レンズ全系の焦点距離
とする。
【０１１９】
条件式（１）は、撮像レンズにおいて一般に光学全長と称される、第１レンズの物体側の面から像面までの光軸上の距離と、最大像高との比を規定する式である。
【０１２０】
撮像レンズが条件式（１）を満たさない場合は、最大像高が小さくなり過ぎたり、光学全長が長くなり過ぎたりする。最大像高が小さくなり過ぎると、撮像レンズの画角が不足し、発明本来の広角レンズとしての機能が損なわれてしまう。また、光学全長が長くなり過ぎると撮像レンズは低背化を満足することが困難になる。
条件式（２）は、最大像高と撮像レンズ全系の焦点距離（以下、「全系焦点距離」と称する場合がある）との比を規定する式である。
【０１２１】
撮像レンズが条件式（２）の下限を下回る場合には、全系焦点距離が長くなり過ぎたり、最大像高が小さくなり過ぎたりする。全系焦点距離が長くなり過ぎると、画角の不足や光学全長の長大化が生じやすく、撮像レンズは大口径化や低背化を満足することが困難になる。また、最大像高が小さくなり過ぎると、上述したように撮像レンズは大口径化を満足することが困難になる。
【０１２２】
逆に、撮像レンズが条件式（２）の上限を上回る場合には、全系焦点距離が短くなり過ぎたり、最大像高が大きくなり過ぎたりして、撮像レンズは収差および結像性能の高性能化を満足することが困難となる。
【０１２３】
従って、撮像レンズが条件式（１）および条件式（２）を満足することにより、撮像レンズは、低背化および大口径化と、収差および結像性能の高性能化とを満足することができる。
図１３は、本発明の撮像装置の一実施形態に相当するスマートフォンを示すブロック構成図である。
【０１２４】
スマートフォン１００は、表示部および入力部として機能する、タッチパネル付きディスプレイ１０１と、タッチパネル付きディスプレイ１０１を介した情報の入出力や各種の情報処理や制御処理などを実行するＣＰＵ（中央演算処理部）１０２と、ＣＰＵ１０２による制御に従って電話通信やＷｉ−Ｆｉ通信などを行う通信部１０３と、各種の情報を記憶する記憶部１０４と、上述した各実施形態の撮像レンズ１，……，６が適用される撮像レンズ１０５と、撮像レンズ１０５によって結像された光学像を電気信号に変換する撮像素子（イメージセンサ）１０６と、スマートフォン１００の各部に電力を供給する電源部１０７とを備えている。
【０１２５】
撮像素子１０６によって光学像が変換されて得られた電気信号は画像データとしてＣＰＵ１０２に取り込まれて各種の信号処理や画像処理が施される。また、タッチパネル付きディスプレイ１０１を介したユーザの指示に従って、画像データは、タッチパネル付きディスプレイ１０１に画像が表示されたり、記憶部１０４に記憶されたり、通信部１０３を介して送信されたりする。
【０１２６】
なお、上記説明では本発明の撮像装置の一実施形態としてスマートフォンが例示されているが、本発明の撮像装置は、スマートフォン以外の携帯電話であってもよく、タブレットやノートパソコンなどといったモバイル端末であってもよく、デジタルカメラでもよい。
【符号の説明】
【０１２７】
１，２，３，４，５，６，１０５…撮像レンズ、
１１，２１，３１，４１，５１，６１…第１レンズ、
１２，２２，３２，４２，５２，６２…第２レンズ、
１３，２３，３３，４３，５３，６３…第３レンズ、
１４，２４，３４，４４，５４，６４…第４レンズ、
１５，２５，３５，４５，５５，６５…第５レンズ、
１５１，２５１，３５１…赤外カット層、
４５３，５５３，６５３…赤外カット膜、
４５１，５５１，６５１…ガラス基板、
４５２，５５２，６５２…レンズ部
【図１】
2019148615.tif 000034
【図２】
2019148615.tif 000035
【図３】
2019148615.tif 000036
【図４】
2019148615.tif 000037
【図５】
2019148615.tif 000038
【図６】
2019148615.tif 000039
【図７】
2019148615.tif 000040
【図８】
2019148615.tif 000041
【図９】
2019148615.tif 000042
【図１０】
2019148615.tif 000043
【図１１】
2019148615.tif 000044
【図１２】
2019148615.tif 000045
【図１３】
2019148615.tif 000046